(57)【要約】【課題】空気調和機の室内機のアドレスを配管長の短い順に自動的に設定し、また簡単に各室内機の設置時の配管長差による能力補正を行う。【解決手段】室外通信装置１０１と、能力補正決定装置１０２と、室内通信装置２０１〜２０４と、室内送風機２０２〜４０２と、電源電圧監視装置２０３〜４０３と、冷媒流量制御装置２０４〜４０４と、冷媒流量決定装置２０５〜４０５とを備え、室内機に供給される電源電圧を監視し、配線長すなわち配管長を配線長による電圧効果を利用し検出することで、室内機のアドレスを空気調和機のシステム構成に従って自動的に設定を行い、室内機のアドレスのみで、簡単に空気調和機設置時の配管長差による能力補正を行う。【選択図】図１
2006029602.tif 000002
【特許請求の範囲】
【請求項１】
室外機に設けられ、室内通信装置との通信を行う室外通信装置と、前記室外機に設けられ、室内機からの受信データにて室内機の配管長能力補正係数を決定する能力補正決定装置と、室内機に設けられ、前記室外通信装置との通信を行う室内通信装置と、前記室内機に設けられ、室内機から風を室内に送り出す室内送風機と、前記室内機に設けられ、室内機に供給される電源電圧を監視する電源電圧監視装置と、前記室内機に設けられ、冷媒の流量を制御する冷媒流量制御装置と、前記室内機に設けられ、前記冷媒流量制御装置の開度を決定する冷媒流量決定装置とを備えたことを特徴とする空気調和機。
【請求項２】
室外機に設けられ、室内通信装置との通信を行う室外通信装置と、前記室外機に設けられ、室内機からの受信データにて室内機のアドレスを設定するアドレス設定装置と、室内機に設けられ、前記室外通信装置との通信を行う室内通信装置と、前記室内機に設けられ、前記室内通信装置から送信されるデータの優先順位を比較する室内通信監視装置と、前記室内機に設けられ、前記室外機から設定された室内アドレスを記憶するアドレス記憶装置と、前記室内機に設けられ、室内機から風を室内に送り出す室内送風機と、前記室内機に設けられ、室内機に供給される電源電圧を監視する電源電圧監視装置とを備えたことを特徴とする空気調和機。
【請求項３】
室外機に設けられ、室内通信装置との通信を行う室外通信装置と、前記室外機に設けられ、室内機からの受信データにて室内機のアドレスを設定するアドレス設定装置と、室内機に設けられ、前記室外通信装置との通信を行う室内通信装置と、前記室内機に設けられ、前記室内通信装置から送信されるデータの優先順位を比較する室内通信監視装置と、前記室内機に設けられ、前記室外機から設定された室内アドレスを記憶するアドレス記憶装置と、前記室内機に設けられ、室内機から風を室内に送り出す室内送風機と、前記室内機に設けられ、室内機に供給される電源電圧を監視する電源電圧監視装置と、前記室内機に設けられ、冷媒の流量を制御する冷媒流量制御装置と、前記室内機に設けられ、前記冷媒流量制御装置の開度を決定する冷媒流量決定装置とを備えたことを特徴とする空気調和機。
【請求項４】
室外機に設けられ、室内通信装置との通信を行う室外通信装置と、前記室外機に設けられ、室内機からの受信データにて室内機のアドレスを設定するアドレス設定装置と、前記室外機に設けられ、室内機からの受信データにて室内機の配管長能力補正係数を決定する能力補正決定装置と、室内機に設けられ、前記室外通信装置との通信を行う室内通信装置と、前記室内機に設けられ、前記室内通信装置から送信されるデータの優先順位を比較する室内通信監視装置と、前記室内機に設けられ、前記室外機から設定された室内アドレスを記憶するアドレス記憶装置と、前記室内機に設けられ、室内機から風を室内に送り出す室内送風機と、前記室内機に設けられ、室内機に供給される電源電圧を監視する電源電圧監視装置と、前記室内機に設けられ、冷媒の流量を制御する冷媒流量制御装置と、前記室内機に設けられ、前記冷媒流量制御装置の開度を決定する冷媒流量決定装置とを備えたことを特徴とする空気調和機。
【請求項５】
室外機に設けられ、室内通信装置との通信を行う室外通信装置と、前記室外機に設けられ、室内機からの受信データにて室内機のアドレスを設定するアドレス設定装置と、前記室外機に設けられ、室内機からの受信データにて室内機の配管長能力補正係数を決定する能力補正決定装置と、前記室外機に設けられ、室内機のアドレス設定の自動設定を開始する自動アドレス開始装置と、室内機に設けられ、前記室外通信装置との通信を行う室内通信装置と、前記室内機に設けられ、前記室内通信装置から送信されるデータの優先順位を比較する室内通信監視装置と、前記室内機に設けられ、前記室外機から設定された室内アドレスを記憶するアドレス記憶装置と、前記室内機に設けられ、室内機から風を室内に送り出す室内送風機と、前記室内機に設けられ、室内機に供給される電源電圧を監視する電源
電圧監視装置と、前記室内機に設けられ、冷媒の流量を制御する冷媒流量制御装置と、前記室内機に設けられ、前記冷媒流量制御装置の開度を決定する冷媒流量決定装置とを備えたことを特徴とする空気調和機。
【発明の詳細な説明】
【技術分野】
【０００１】
本発明は、アドレス設定装置と室内通信装置との通信を行う室外通信装置と、室内機からの受信データにて室内機のアドレスを設定するアドレス設定装置と、室内機からの受信データにて室内機の配管長能力補正係数を決定する能力補正決定装置と、室内機のアドレス設定の自動設定を開始する自動アドレス開始装置と、室外通信装置との通信を行う室内通信装置と、室内通信装置から送信されるデータの優先順位を比較する室内通信監視装置と、室外機から設定された室内アドレスを記憶するアドレス記憶装置と、室内機から風を室内に送り出す室内送風機と、室内機に供給される電源電圧を監視する電源電圧監視装置と、冷媒の流量を制御する冷媒流量制御装置と、冷媒流量制御装置の開度を決定する冷媒流量決定装置に関するものである。
【背景技術】
【０００２】
従来この種の空気調和機は、シリアルナンバーや、乱数等を用いて、ランダムに室内機のアドレスを自動的に設定している（例えば特許文献１参照）。
【０００３】
図５は前記公報に記載された従来の空気調和機を示すものである。図５に示すように、室内機１〜３と、シリアルナンバー記憶部１１と、室内機制御部１２と、室内機送信部１３と、室内機受信部１４と、室外機４と、室外機送信部２３と、室外機受信部２４から構成されている。
【特許文献１】特開平７−３０５８８６号公報
【発明の開示】
【発明が解決しようとする課題】
【０００４】
しかしながら、前記従来の構成では、室内機のシリアルナンバー記憶部に記憶されているシリアルナンバーで、室内アドレスが決定されるため、空気調和機のシステム構成とは全く異なったアドレスが設定される。このことから、空気調和機設置時の配管長差による、能力補正ができないという課題を有していた。
【０００５】
本発明は、前記従来の課題を解決するもので、室外機から室内機へ電源供給されるシステムにおいて、室内機に供給される電源電圧を監視し、配線長すなわち配管長を配線長による電圧効果を利用し検出することで、室内機のアドレスを空気調和機のシステム構成に従って自動的に設定を行い、室内機のアドレスのみで、簡単に空気調和機設置時の配管長差による能力補正をする空気調和機を提供することを目的とする。
【課題を解決するための手段】
【０００６】
前記従来の課題を解決するために、本発明の空気調和機は、室外機に設けられ、室内通信装置との通信を行う室外通信装置と、前記室外機に設けられ、室内機からの受信データにて室内機の配管長能力補正係数を決定する能力補正決定装置と、室内機に設けられ、前記室外通信装置との通信を行う室内通信装置と、前記室内機に設けられ、室内機から風を室内に送り出す室内送風機と、前記室内機に設けられ、室内機に供給される電源電圧を監視する電源電圧監視装置と、前記室内機に設けられ、冷媒の流量を制御する冷媒流量制御装置と、前記室内機に設けられ、前記冷媒流量制御装置の開度を決定する冷媒流量決定装置とで構成するものである。
【０００７】
上記構成によって、配管長を配線長による電圧効果を利用し検出することで、空気調和機設置時の配管長差による能力補正をすることができる。
【０００８】
また、本発明の空気調和機は、室外機に設けられ、室内通信装置との通信を行う室外通信装置と、前記室外機に設けられ、室内機からの受信データにて室内機のアドレスを設定するアドレス設定装置と、前記室外機に設けられ、室内機からの受信データにて室内機の配管長能力補正係数を決定する能力補正決定装置と、前記室外機に設けられ、室内機のアドレス設定の自動設定を開始する自動アドレス開始装置と、室内機に設けられ、前記室外通信装置との通信を行う室内通信装置と、前記室内機に設けられ、前記室内通信装置から送信されるデータの優先順位を比較する室内通信監視装置と、前記室内機に設けられ、前記室外機から設定された室内アドレスを記憶するアドレス記憶装置と、前記室内機に設けられ、室内機から風を室内に送り出す室内送風機と、前記室内機に設けられ、室内機に供給される電源電圧を監視する電源電圧監視装置と、前記室内機に設けられ、冷媒の流量を制御する冷媒流量制御装置と、前記室内機に設けられ、前記冷媒流量制御装置の開度を決定する冷媒流量決定装置とで構成するものである。
【０００９】
上記構成によって、配管長を配線長による電圧効果を利用し検出することで、空気調和機設置時の配管長差にてアドレス設定が自動で行うことができ、室内機のアドレスのみで、空気調和機設置時の配管長差による能力補正を行うことができる。
【発明の効果】
【００１０】
本発明の空気調和機は、室内機のアドレスを空気調和機設置時の配管長差にて従って自動的に設定可能で、室内機増設時も、室内機のアドレスを再設定可能で、室内機のアドレスのみで、簡単に空気調和機設置時の配管長差による能力補正をすることができる。
【発明を実施するための最良の形態】
【００１１】
第１の発明は、室外機に設けられ、室内通信装置との通信を行う室外通信装置と、室外機に設けられ、室内機からの受信データにて室内機の配管長能力補正係数を決定する能力補正決定装置と、室内機に設けられ、室外通信装置との通信を行う室内通信装置と、室内機に設けられ、室内機から風を室内に送り出す室内送風機と、室内機に設けられ、室内機に供給される電源電圧を監視する電源電圧監視装置と、室内機に設けられ、冷媒の流量を制御する冷媒流量制御装置と、室内機に設けられ、冷媒流量制御装置の開度を決定する冷媒流量決定装置とを備えることにより、各室内機が配線長による電圧効果にて、配管長を検出し、室外機に送信することで、室外機は各室内機の配管長補正係数を決定し、各室内機に送信することで、空気調和機設置時の配管長差による補正係数にて、冷媒流量決定装置が配管長補正係数を加味した冷媒流量制御装置の開度を決定することで、配管長差による能力補正を行うことができる。
【００１２】
第２の発明は、第１の発明の室外機に設けられ、室内機からの受信データにて室内機のアドレスを設定するアドレス設定装置と、室内機に設けられ、室内通信装置から送信されるデータの優先順位を比較する室内通信監視装置と、室内機に設けられ、室外機から設定された室内アドレスを記憶するアドレス記憶装置とを備えることにより、各室内機が配線長による電圧効果にて、配管長を検出し、各室内機が配管長を同時に送信することで、室内通信装置が室内機の送信データを比較し、競合負け室内機の通信装置が通信を停止することで、室外機は競合勝ちした室内機にのみアドレスを順に設定することにより、空気調和機設置時の配管長の順番に室内アドレスを自動設定できる。
【００１３】
第３の発明は、特に、第１〜２に記載の単数または複数の制御を搭載することにより、各室内機が配線長による電圧効果にて、配管長を検出し、各室内機が配管長を同時に送信することで、室内通信装置が室内機の送信データを比較し、競合負け室内機の通信装置が通信を停止することで、室外機は競合勝ちした室内機にのみアドレスを順に設定することにより、空気調和機設置時の配管長の順番に室内アドレスを自動設定でき、自動設定で決定された室内アドレスから、空気調和機設置時の配管長差による補正係数を認識し、冷媒
流量決定装置が配管長補正係数を加味した冷媒流量制御装置の開度を決定することで、配管長差による能力補正を行うことができる。
【００１４】
第４の発明は、特に、第３の発明の室外機に設けられ、室内機からの受信データにて室内機の配管長能力補正係数を決定する能力補正決定装置を備えることにより、各室内機が配線長による電圧効果にて、配管長を検出し、各室内機が配管長を同時に送信することで、室内通信装置が室内機の送信データを比較し、競合負け室内機の通信装置が通信を停止することで、室外機は競合勝ちした室内機にのみアドレスを順に設定することにより、空気調和機設置時の配管長の順番に室内アドレスを自動設定でき、さらに各室内機からの配管長データにて室内機の配管長能力補正係数を室外機が決定し、各室内機に送信することで、各室内機が、空気調和機設置時の配管長差による補正係数を認識し、冷媒流量決定装置が配管長補正係数を加味した冷媒流量制御装置の開度を決定することで、配管長差による能力補正を行うことができる。
【００１５】
第５の発明は、特に、第４の発明の室外機に設けられ、室内機のアドレス設定の自動設定を開始する自動アドレス開始装置を備えることにより、自動アドレス開始装置の入力を検知することで、各室内機が配線長による電圧効果にて、配管長を検出し、各室内機が配管長を同時に送信することで、室内通信装置が室内機の送信データを比較し、競合負け室内機の通信装置が通信を停止することで、室外機は競合勝ちした室内機にのみアドレスを順に設定することにより、室内機増設時も、再度空気調和機設置時の配管長の順番に室内アドレスを自動設定でき、さらに各室内機からの配管長データにて再度室内機の配管長能力補正係数を室外機が決定し、各室内機に送信することで、各室内機が、空気調和機設置時の配管長差による補正係数を認識し、冷媒流量決定装置が配管長補正係数を加味した冷媒流量制御装置の開度を決定することで、配管長差による能力補正を行うことができる。
【００１６】
以下、本発明の実施の形態について図面を参照して説明する。
【００１７】
（実施の形態１）
図１は、本発明の実施の形態１における空気調和機のブロック図である。
【００１８】
図１において、１０は室外機であり、１０１は室内通信装置との通信を行う室外通信装置であり、１０２は室内機からの受信データにて室内機の配管長能力補正係数を決定する能力補正決定装置であり、２０〜４０室内機であり、２０１〜４０１は室外通信装置との通信を行う室内通信装置であり、２０２〜４０２は室内機から風を室内に送り出す室内送風機であり、２０３〜４０３は室内機に供給される電源電圧を監視する電源電圧監視装置であり、２０４〜４０４は冷媒の流量を制御する冷媒流量制御装置であり、２０５〜４０５は冷媒流量制御装置の開度を決定する冷媒流量決定装置である。
【００１９】
以上のように構成された空気調和機について、以下その動作を説明する。
【００２０】
まず、室外機１０から各室内機２０〜４０に電源供給されているシステムにおいて、室外機１０に電源が投入されることで、配管長補正係数未決定であれば、室外通信装置１０１が配管長補正係数決定信号を室内通信装置２０１〜４０１に送信する。配管長補正係数決定信号を受信した室内通信装置２０１〜４０１は、電源電圧監視装置２０３〜４０３に無負荷電源電圧検出指令を行い、電源電圧監視装置２０３〜４０３が無負荷状態の電源電源電圧を検出後、室内機から風を室内に送り出す室内送風機２０２〜４０２を運転させ、室内送風機２０２〜２０４の運転電流が電源線を流れることによる降下電圧を算出し、室内通信装置２０１〜４０１を介し、室外通信装置１０１に送信する。各室内機の降下電圧を受信した室外通信装置１０１は、配管長補正係数算出指示と共に、各室内機の降下電圧を能力補正決定装置１０２に送信する。
【００２１】
能力補正決定装置１０２は、配管長補正係数算出指示を受信することで、各室内機の降下電圧から、降下電圧が小さい順に、配管長が短いと判断し、配管長補正係数を決定する。さらに、能力補正決定装置１０２は各室内機の配管長補正係数が決定することで、室外通信装置１０１を介し、室内通信装置２０１〜４０１に配管長補正係数を送信する。配管長補正係数を受信した各室内機の室内通信装置２０１〜４０１は、配管長補正係数を冷媒流量決定装置２０５〜４０５に送信し、冷媒流量決定装置２０５〜４０５は、配管長補正係数を加味した冷媒流量開度を決定し、冷媒流量制御装置２０４〜４０４の冷媒流量開度を操作することで、配管長差による能力補正を行うことができる。
【００２２】
（実施の形態２）
図２は、本発明の実施の形態における空気調和機のブロック図である。
【００２３】
図２において、１０は室外機であり、１０１は室内通信装置との通信を行う室外通信装置であり、１０３は室内機からの受信データにて室内機のアドレスを設定するアドレス設定装置であり、２０〜４０室内機であり、２０１〜４０１は室外通信装置との通信を行う室内通信装置であり、２０２〜４０２は室内機から風を室内に送り出す室内送風機であり、２０３〜４０３は室内機に供給される電源電圧を監視する電源電圧監視装置であり、２０６〜４０６は室外機から設定された室内アドレスを記憶するアドレス記憶装置である。
【００２４】
以上のように構成された空気調和機について、以下その動作を説明する。
【００２５】
まず、室外機１０から各室内機２０〜４０に電源供給されているシステムにおいて、室外機１０に電源が投入されることで、室内機アドレス未決定であれば、室外通信装置１０１が自動アドレス設定信号を室内通信装置２０１〜４０１に送信する。自動アドレス設定信号を受信した室内通信装置２０１〜４０１は、電源電圧監視装置２０３〜４０３に無負荷電源電圧検出指令を行い、電源電圧監視装置２０３〜４０３が無負荷状態の電源電源電圧を検出後、室内機から風を室内に送り出す室内送風機２０２〜４０２を運転させ、室内送風機２０２〜２０４の運転電流が電源線を流れることによる降下電圧を算出し、室内通信装置２０１〜４０１を介し、同時に室外通信装置１０１に送信する。この時、室内通信装置２０１〜４０１は送信データを比較し、他の室内通信装置２０１〜４０１から送信されるの降下電圧より低ければ競合負けを検知し、室内通信装置２０１〜４０１停止する。
【００２６】
このことで、室外通信装置１０１は、競合勝ちした室内通信装置２０１〜４０１のデータを受信することができる。室外通信装置１０１は、室内通信装置２０１〜４０１からデータを受信することで、アドレス設定装置１０３から現在設定済みの室内アドレスを読み出し、現在設定済室内アドレスに＋１した室内アドレスを競合勝ちした室内通信装置２０１〜４０１に送信すると共に、＋１した室内アドレスを設定済みとしてアドレス設定装置１０３に記憶させる。室内アドレスを受信した室内通信装置２０１〜４０１は、受信データを室内アドレス記憶装置２０６〜４０６に記憶する。さらに、他の室内機との競合負けを検知した室内通信装置２０１〜４０１は、競合負けを検知しなくなるまで、降下電圧を室外通信装置１０１に送信することで、接続されている全室内通信装置２０１〜４０１が空気調和機設置時の配管長短い順番に自動的に室内アドレスを受信し、室内アドレス記憶装置２０６〜４０６に記憶することができる。
【００２７】
（実施の形態３）
図３は、本発明の実施の形態３における空気調和機のブロック図である。
【００２８】
図３において、１０は室外機であり、１０１は室内通信装置との通信を行う室外通信装置であり、１０３は室内機からの受信データにて室内機のアドレスを設定するアドレス設
定装置であり、２０〜４０室内機であり、２０１〜４０１は室外通信装置との通信を行う室内通信装置であり、２０２〜４０２は室内機から風を室内に送り出す室内送風機であり、２０３〜４０３は室内機に供給される電源電圧を監視する電源電圧監視装置であり、２０４〜４０４は冷媒の流量を制御する冷媒流量制御装置であり、２０５〜４０５は冷媒流量制御装置の開度を決定する冷媒流量決定装置２０６〜４０６は室外機から設定された室内アドレスを記憶するアドレス記憶装置である。
【００２９】
以上のように構成された空気調和機について、以下その動作を説明する。
【００３０】
まず、室外機１０から各室内機２０〜４０に電源供給されているシステムにおいて、室外機１０に電源が投入されることで、室内機アドレス未決定であれば、室外通信装置１０１が自動アドレス設定信号を室内通信装置２０１〜４０１に送信する。自動アドレス設定信号を受信した室内通信装置２０１〜４０１は、電源電圧監視装置２０３〜４０３に無負荷電源電圧検出指令を行い、電源電圧監視装置２０３〜４０３が無負荷状態の電源電源電圧を検出後、室内機から風を室内に送り出す室内送風機２０２〜４０２を運転させ、室内送風機２０２〜２０４の運転電流が電源線を流れることによる降下電圧を算出し、室内通信装置２０１〜４０１を介し、同時に室外通信装置１０１に送信する。この時、室内通信装置２０１〜４０１は送信データを比較し、他の室内通信装置２０１〜４０１から送信されるの降下電圧より低ければ競合負けを検知し、室内通信装置２０１〜４０１停止する。
【００３１】
このことで、室外通信装置１０１は、競合勝ちした室内通信装置２０１〜４０１のデータを受信することができる。室外通信装置１０１は、室内通信装置２０１〜４０１からデータを受信することで、アドレス設定装置１０３から現在設定済みの室内アドレスを読み出し、現在設定済室内アドレスに＋１した室内アドレスを競合勝ちした室内通信装置２０１〜４０１に送信すると共に、＋１した室内アドレスを設定済みとしてアドレス設定装置１０３に記憶させる。室内アドレスを受信した室内通信装置２０１〜４０１は、受信データを室内アドレス記憶装置２０６〜４０６に記憶する。さらに、他の室内機との競合負けを検知した室内通信装置２０１〜４０１は、競合負けを検知しなくなるまで、降下電圧を室外通信装置１０１に送信することで、接続されている全室内通信装置２０１〜４０１が空気調和機設置時の配管長短い順番に自動的に室内アドレスを受信し、室内アドレス記憶装置２０６〜４０６に記憶する。また、冷媒流量決定装置２０６〜４０６は室内アドレス記憶装置２０６〜４０６から、配管長の短い順番に設定された室内アドレスを読み出し、室内アドレスに配管長補正係数を掛けた冷媒流量開度を決定し、冷媒流量制御装置２０４〜４０４の冷媒流量開度を操作することで、配管長差による能力補正を行うことができる。
【００３２】
（実施の形態４）
図４は、本発明の実施の形態４における空気調和機のブロック図である。
【００３３】
図４において、１０は室外機であり、１０１は室内通信装置との通信を行う室外通信装置であり、１０２は室内機からの受信データにて室内機の配管長能力補正係数を決定する能力補正決定装置であり、１０３は室内機からの受信データにて室内機のアドレスを設定するアドレス設定装置であり、２０〜４０室内機であり、２０１〜４０１は室外通信装置との通信を行う室内通信装置であり、２０２〜４０２は室内機から風を室内に送り出す室内送風機であり、２０３〜４０３は室内機に供給される電源電圧を監視する電源電圧監視装置であり、２０４〜４０４は冷媒の流量を制御する冷媒流量制御装置であり、２０５〜４０５は冷媒流量制御装置の開度を決定する冷媒流量決定装置２０６〜４０６は室外機から設定された室内アドレスを記憶するアドレス記憶装置である。
【００３４】
以上のように構成された空気調和機について、以下その動作を説明する。
【００３５】
まず、室外機１０から各室内機２０〜４０に電源供給されているシステムにおいて、室外機１０に電源が投入されることで、室内機アドレス未決定であれば、室外通信装置１０１が自動アドレス設定信号を室内通信装置２０１〜４０１に送信する。自動アドレス設定信号を受信した室内通信装置２０１〜４０１は、電源電圧監視装置２０３〜４０３に無負荷電源電圧検出指令を行い、電源電圧監視装置２０３〜４０３が無負荷状態の電源電源電圧を検出後、室内機から風を室内に送り出す室内送風機２０２〜４０２を運転させ、室内送風機２０２〜２０４の運転電流が電源線を流れることによる降下電圧を算出し、室内通信装置２０１〜４０１を介し、同時に室外通信装置１０１に送信する。この時、室内通信装置２０１〜４０１は送信データを比較し、他の室内通信装置２０１〜４０１から送信されるの降下電圧より低ければ競合負けを検知し、室内通信装置２０１〜４０１停止する。このことで、室外通信装置１０１は、競合勝ちした室内通信装置２０１〜４０１のデータを受信することができる。室外通信装置１０１は、室内通信装置２０１〜４０１からデータを受信することで、アドレス設定装置１０３から現在設定済みの室内アドレスを読み出し、現在設定済室内アドレスに＋１した室内アドレスを競合勝ちした室内通信装置２０１〜４０１に送信すると共に、＋１した室内アドレスを設定済みとしてアドレス設定装置１０３に記憶させる。また、室外通信装置１０１は、室内通信装置２０１〜４０１から受信した降下電圧を能力補正決定装置１０２に格納する。室内アドレスを受信した室内通信装置２０１〜４０１は、受信データを室内アドレス記憶装置２０６〜４０６に記憶する。さらに、他の室内機との競合負けを検知した室内通信装置２０１〜４０１は、競合負けを検知しなくなるまで、降下電圧を室外通信装置１０１に送信することで、接続されている全室内通信装置２０１〜４０１が空気調和機設置時の配管長短い順番に自動的に室内アドレスを受信し、室内アドレス記憶装置２０６〜４０６に記憶する。
【００３６】
全接続室内機の室内アドレス決定後、能力補正決定装置１０２は、格納された降下電圧から、各室内機２０〜４０の配管長補正係数を配管長の短い順に算出し、室外通信装置１０１を介し、室内通信装置２０１〜４０１に送信する。配管長補正係数を受信した室内通信装置２０１〜４０１は受信データを冷媒流量決定装置２０６〜４０６に送信し、冷媒流量決定装置２０６〜４０６は、受信した配管長補正係数を加味した冷媒流量開度を決定し、冷媒流量制御装置２０４〜４０４の冷媒流量開度を操作することで、配管長の短い順に自動的にアドレス設定ができ、また配管長差による能力補正を行うことができる。
【００３７】
（実施の形態５）
図５は、本発明の実施の形態５における空気調和機のブロック図である。
【００３８】
図５において、１０は室外機であり、１０１は室内通信装置との通信を行う室外通信装置であり、１０２は室内機からの受信データにて室内機の配管長能力補正係数を決定する能力補正決定装置であり、１０３は室内機からの受信データにて室内機のアドレスを設定するアドレス設定装置であり、１０４は自動アドレス開始装置であり、２０〜４０室内機であり、２０１〜４０１は室外通信装置との通信を行う室内通信装置であり、２０２〜４０２は室内機から風を室内に送り出す室内送風機であり、２０３〜４０３は室内機に供給される電源電圧を監視する電源電圧監視装置であり、２０４〜４０４は冷媒の流量を制御する冷媒流量制御装置であり、２０５〜４０５は冷媒流量制御装置の開度を決定する冷媒流量決定装置２０６〜４０６は室外機から設定された室内アドレスを記憶するアドレス記憶装置である。
【００３９】
以上のように構成された空気調和機について、以下その動作を説明する。
【００４０】
まず、室外機１０から各室内機２０〜４０に電源供給されているシステムにおいて、自動アドレス開始装置１０４の入力を検知することで、室外通信装置１０１が自動アドレス
設定信号を室内通信装置２０１〜４０１に送信する。自動アドレス設定信号を受信した室内通信装置２０１〜４０１は、電源電圧監視装置２０３〜４０３に無負荷電源電圧検出指令を行い、電源電圧監視装置２０３〜４０３が無負荷状態の電源電源電圧を検出後、室内機から風を室内に送り出す室内送風機２０２〜４０２を運転させ、室内送風機２０２〜２０４の運転電流が電源線を流れることによる降下電圧を算出し、室内通信装置２０１〜４０１を介し、同時に室外通信装置１０１に送信する。この時、室内通信装置２０１〜４０１は送信データを比較し、他の室内通信装置２０１〜４０１から送信されるの降下電圧より低ければ競合負けを検知し、室内通信装置２０１〜４０１停止する。
【００４１】
このことで、室外通信装置１０１は、競合勝ちした室内通信装置２０１〜４０１のデータを受信することができる。室外通信装置１０１は、室内通信装置２０１〜４０１からデータを受信することで、アドレス設定装置１０３から現在設定済みの室内アドレスを読み出し、現在設定済室内アドレスに＋１した室内アドレスを競合勝ちした室内通信装置２０１〜４０１に送信すると共に、＋１した室内アドレスを設定済みとしてアドレス設定装置１０３に記憶させる。また、室外通信装置１０１は、室内通信装置２０１〜４０１から受信した降下電圧を能力補正決定装置１０２に格納する。室内アドレスを受信した室内通信装置２０１〜４０１は、受信データを室内アドレス記憶装置２０６〜４０６に記憶する。さらに、他の室内機との競合負けを検知した室内通信装置２０１〜４０１は、競合負けを検知しなくなるまで、降下電圧を室外通信装置１０１に送信することで、接続されている全室内通信装置２０１〜４０１が空気調和機設置時の配管長短い順番に自動的に室内アドレスを受信し、室内アドレス記憶装置２０６〜４０６に記憶する。
【００４２】
全接続室内機の室内アドレス決定後、能力補正決定装置１０２は、格納された降下電圧から、各室内機２０〜４０の配管長補正係数を配管長の短い順に算出し、室外通信装置１０１を介し、室内通信装置２０１〜４０１に送信する。配管長補正係数を受信した室内通信装置２０１〜４０１は受信データを冷媒流量決定装置２０６〜４０６に送信し、冷媒流量決定装置２０６〜４０６は、受信した配管長補正係数を加味した冷媒流量開度を決定し、冷媒流量制御装置２０４〜４０４の冷媒流量開度を操作することで、室内機増設、電源工事不備等により設定できていない室内機が存在する場合、再度配管長の短い順に自動的にアドレス設定ができ、また配管長差による能力補正を簡単に行うことができる。
【産業上の利用可能性】
【００４３】
本発明の空気調和機は、室内機のアドレスを配管長の順に自動的に設定し、配管長差による能力補正を行うことが出来るので、多室型空気調和機として有用である。
【図面の簡単な説明】
【００４４】
【図１】本発明の第１の実施の形態を示すブロック図
【図２】本発明の第２の実施の形態を示すブロック図
【図３】本発明の第３の実施の形態を示すブロック図
【図４】本発明の第４の実施の形態を示すブロック図
【図５】本発明の第５の実施の形態を示すブロック図
【図６】従来の空気調和機のブロック図
【符号の説明】
【００４５】
２０〜４０  室内機
２０１〜４０１  室内通信装置
２０２〜４０２  室内送風機
２０３〜４０３  電源電圧監視装置
２０４〜４０４  冷媒流量制御装置
２０５〜４０５  冷媒流量決定装置
２０６〜４０６  室内アドレス記憶装置
１０  室外機
１０１  室外通信装置
１０２  能力補正決定装置
１０３  アドレス設定装置
１０４  自動アドレス開始装置
【図１】
2006029602.tif 000003
【図２】
2006029602.tif 000004
【図３】
2006029602.tif 000005
【図４】
2006029602.tif 000006
【図５】
2006029602.tif 000007
【図６】
2006029602.tif 000008